(57)【特許請求の範囲】
【請求項１】
枠体と、
この枠体に固定された回路基板と、
前記枠体に設けられディスクをその回転軸の周りに回転駆動するスピンドルモータと、
前記ディスクに対する信号の読み書きをするピックアップ装置と、
このピックアップ装置を前記ディスクの面に平行の第１の方向に移動させる移動装置と、
前記回路基板と前記ピックアップ装置とを接続するフレキシブルプリント基板と、
を備え、
前記フレキシブルプリント基板は、
長方形状のフレキシブル部と、
前記フレキシブル部の長手方向の一端側に設けられ、前記回路基板に接続された第１の端子部と、
前記フレキシブル部の長手方向の他端側に設けられ、前記ピックアップ装置に接続された第２の端子部と、
を備え、
前記第１の端子部は前記第１の方向を向いて前記回路基板に設けた回路基板端子部に連結されており、前記第２の端子部は前記ピックアップ装置における前記第１の方向に垂直な面に対して前記第１の方向及び前記ディスクの回転軸の双方に垂直の方向に対して±１０°以内の範囲の第２の方向を向いて配置されていることを特徴とするメカデッキ装置。
【請求項２】
前記フレキシブルプリント基板の前記第２の端子部は、前記ピックアップ装置の内部回路に直接連結されることによって接続されていることを特徴とする請求項１に記載のメカデッキ装置。
【請求項３】
前記第２の端子部側の前記フレキシブルプリント基板は、前記ピックアップ装置における前記第１の方向に垂直な面に設けられたスリットから前記第２の方向を向いて引き出されていることを特徴とする請求項２に記載のメカデッキ装置。
【発明の詳細な説明】
【技術分野】
【０００１】
本発明は、光ディスク又は光磁気ディスクに対して信号の読み書きを行うディスクドライブ装置に設けられ、信号の読み書きを行うピックアップ装置及び回路基板とピックアップ装置とを電気的に接続するフレキシブル回路基板を備えたメカデッキ装置に関する。
【背景技術】
【０００２】
従来、パソコン、ＣＤ（Compact Disc）プレイヤー、ＤＶＤ（Digital Versatile Disc）プレイヤー又はＤＶＤレコーダー等に搭載され、光ディスク若しくは光磁気ディスクに対して信号の読み書きを行うディスクドライブ装置には、軸に備えるターンテーブル上に載置されるディスクを回転駆動するスピンドルモータと信号の読み書きを行うピックアップ装置とを枠体となるシャシに取り付けたメカデッキ装置が使用されている。
【０００３】
このメカデッキ装置の枠体となるメカデッキシャシには、ターンテーブル上に載置されるディスクの径方向に伸びる１対のガイド軸が設けられており、更に、ピックアップ装置の外面にはガイド孔及びガイド溝が設けられ、このガイド孔に一方のガイド軸を挿通し、他方のガイド軸をガイド溝に嵌挿することによって、ピックアップ装置をディスクの径方向に移動可能にしている。
【０００４】
また、外面に螺旋状の溝が設けられた駆動ネジがメカデッキシャシの内面側にガイド軸と略平行に設置され、この螺旋状の溝はピックアップ装置に設けられたラック部材のラック形状に噛合している。更に、この駆動ネジの一端は、メカデッキシャシの内面側に固定された駆動モータの軸に回転可能に連結されており、この駆動モータの軸が回転することによって、ピックアップ装置がディスクの径方向に移動しながら信号の読み書きを行うことができる。
【０００５】
メカデッキシャシのディスクドライブ装置に取り付けられる面には回路基板が設けられ、また、回路基板及びピックアップ装置には夫々回路基板の基板面に平行な位置にコネクタが設けられ、この回路基板及びピックアップ装置に設けられたコネクタに柔軟性のあるＦＰＣ（フレキシブルプリント基板）の端子部を挿入することによって、回路基板とピックアップ装置とが電気的に接続され、回路基板によってピックアップ装置の動作を制御することが可能となる。
【０００６】
前述の如く、ピックアップ装置はガイド軸に沿って移動するため、回路基板とピックアップ装置とを電気的に接続するＦＰＣは、その屈曲可能なフレキシブル部の屈曲位置を常に変移させながら移動する。
【０００７】
メカデッキ装置がディスクドライブ装置に設置されると、ＦＰＣはメカデッキシャシ及びディスクドライブ装置の筐体に囲まれた状態でその屈曲可能なフレキシブル部の屈曲位置を変移させるため、フレキシブル部の曲げ剛性による反力がピックアップ装置に負荷されることになる。このピックアップ装置に負荷される反力は、その軸を回転駆動することによってピックアップ装置を移動させる駆動モータに負荷されることになるが、近時、ディスクドライブ装置が小型化される中で、小型化された駆動モータにかかる負荷が大きいと、ピックアップ装置が正常に動作しない等の問題が発生する。特許文献１にはＦＰＣの屈曲位置と回路基板側の端子部との間にて、一部のフレキシブル部をベース（メカデッキシャシ）に固定した光ディスク装置が開示されている。また、このような構成とすることでＦＰＣのフレキシブル部が捻られた状態で取り付けられることを防ぐことができるため、駆動モータにかかる力を安定して減らし、駆動モータが小型化されてもピックアップ装置をディスクの半径方向にスムーズに移送できることが開示されている。
【０００８】
また、薄肉化された近時のメカデッキ装置において、又は複数の記録フォーマットに対する互換性若しくは高記録密度化に対応して回路数が増加したＦＰＣを有するメカデッキ装置において、ピックアップ装置がディスクの径方向に移動しながら信号の読み書きを行うためにメカデッキシャシに設けられた開口部が大きい場合に、ＦＰＣのフレキシブル部がメカデッキシャシに設けられた開口部から外側にはみ出すという問題が生じやすくなっている。特許文献２には、ＦＰＣの長手方向に沿ったＦＰＣの撓んだ側端部が、少なくとも折り返し位置においてメカデッキ装置とは別体に設けられ、メカデッキ装置の底部の開口部を覆うディスクドライブ装置のトップカバーによって押さえ込まれ、ＦＰＣのフレキシブル部がトップカバーの開口から外方にはみ出すことを防ぐことができる構成としたディスクドライブ装置が開示されている。
【０００９】
また、特許文献３には、ピックアップ装置本体に固定された２つの回路基板を電気的に接続するＦＰＣを全体として長片上に形成し、その長片の途中においてＦＰＣが略直角に折り返されており、この折り返されているＦＰＣの片端又は両端に折り返し用の溝を備え、ＦＰＣが接続される回路基板の少なくとも一方のＦＰＣ接続部の近傍には、ＦＰＣ接続支援用の溝又は孔を備えたピックアップ装置が開示されている。また、ＦＰＣが接続される２つの回路基板の配置に合わせてＦＰＣをＬ字に切り取る必要がないため、ＦＰＣの製造にかかるコストを低減することができ、振動及びショック荷重を繰り返し受けることによってＦＰＣ両端部の接続部が切断するのを防止するためにＦＰＣに持たせるたるみを設けなくとも、ＦＰＣの折り返しの部分がたるみの機能を兼ね備えるため、振動にも強い接続状態を確保できることが記載されている。
【特許文献１】特開２００６−２５２６５３号公報
【特許文献２】特開２００５−３４６８７１号公報
【特許文献３】特開２００６−３０２３７８号公報
【発明の開示】
【発明が解決しようとする課題】
【００１０】
しかしながら、前述の従来技術には以下のような問題点がある。
【００１１】
ＦＰＣのフレキシブル部は、前述の如く１箇所で折り返され、その折り返されて撓んだ部分はディスクドライブ装置を組み立てる工程において、メカデッキ装置の開口部から外部に飛び出している。このＦＰＣがメカデッキ装置の外部に飛び出した状態でメカデッキ装置をディスクドライブ装置の筐体に組み付けると、湾曲したＦＰＣのフレキシブル部をメカデッキシャシとディスクドライブ装置の筐体との間に挟みこみ、ピックアップ装置がガイド軸に沿って移動できなくなる危険性がある。更に、ＦＰＣのメカデッキ装置からの飛び出し量が大きいと、ディスクドライブ装置の組み立て作業時に作業者がＦＰＣに触れやすく、ＦＰＣの一部を切断してしまったり、ＦＰＣ表面のベース層又はカバー層を傷つけてしまい、回路が切断され又はショートしてメカデッキ装置が正常に動作しなくなる等の問題が発生しやすい。
【００１２】
特許文献１に記載の光ディスク装置は、ＦＰＣの捩れによって発生する反力による駆動モータへの負荷を減らすものであり、メカデッキ装置の開口部から外部に飛び出しているＦＰＣのフレキシブル部の飛び出し量を抑制するものではないため、ディスクドライブ装置の組立作業時に発生するＦＰＣの挟み込み及び損傷の問題を防止することはできない。
【００１３】
上述のようなＦＰＣのフレキシブル部を挟み込んでしまう問題に対しては、ディスクドライブ装置の筐体をＦＰＣの湾曲部を避けた構造にして、ＦＰＣが飛び出している領域を他部品を配置できない禁止領域とすればよいが、ＦＰＣのフレキシブル部の撓み位置はピックアップ装置の位置によって変移し、また、ＦＰＣがメカデッキ装置から飛び出している空間が大きいため、部品を配置することのできない領域が大きくなってしまい、ディスクドライブ装置が大型化するという問題がある。
【００１４】
また、ＦＰＣのメカデッキ装置からの飛び出し量が大きいと、ディスクドライブ装置が組み立てられた後、ＦＰＣのフレキシブル部はメカデッキシャシ及びディスクドライブ装置の筐体に押さえ込まれながらその撓み位置を変移させるため、ＦＰＣの撓みによる大きな反力がピックアップ装置側に接続されるＦＰＣの端子部に作用して、ピックアップ装置側の端子部がピックアップ装置のコネクタから外れやすくなるという問題がある。このＦＰＣのメカデッキ装置からの飛び出し量を小さく抑えるために、ＦＰＣのフレキシブル部の長さを短くすると共に回路基板の大きさを大きくして、不規則に変化するＦＰＣの撓んだ領域を抑制すればよいが、メカデッキ装置の重量が大きくなるだけでなく、部品コストが増大するという問題がある。特許文献２に記載のディスクドライブ装置は、ＦＰＣがその折り返し位置においてディスクドライブ装置のトップカバーによって押さえ込まれる形状となっているため、ディスクドライブ装置の組立作業時において、ＦＰＣのメカデッキ装置からの飛び出し量が更に大きくなり、ＦＰＣの挟み込み及び損傷の問題が発生する危険性が増大する。また、ＦＰＣの折り返し位置が押さえ込まれることによってＦＰＣの撓みによる反力は増大するため、ＦＰＣのピックアップ装置側のコネクタが外れる危険性が更に増大する。
【００１５】
また、特許文献３に記載されているピックアップ装置に設けられるＦＰＣは、相対的に移動しない回路基板同士を接続する際の問題を解決するものであり、メカデッキ装置のように回路基板とこの回路基板に対して相対的に移動するピックアップ装置とを接続する場合には適用できないものである。
【００１６】
本発明はかかる問題点に鑑みてなされたものであって、ディスクドライブ装置の組み立て時に発生するＦＰＣの挟み込み及び損傷の危険性を低減し、ＦＰＣの捩れによるコネクタ外れが発生せず、更に、製造コストを低減することができるメカデッキ装置を提供することを目的とする。
【課題を解決するための手段】
【００１７】
本発明に係るメカデッキ装置は、
枠体と、
この枠体に固定された回路基板と、
前記枠体に設けられディスクをその回転軸の周りに回転駆動するスピンドルモータと、
前記ディスクに対する信号の読み書きをするピックアップ装置と、
このピックアップ装置を前記ディスクの面に平行の第１の方向に移動させる移動装置と、
前記回路基板と前記ピックアップ装置とを接続するフレキシブルプリント基板と、
を備え、
前記フレキシブルプリント基板は、
長方形状のフレキシブル部と、
前記フレキシブル部の長手方向の一端側に設けられ、前記回路基板に接続された第１の端子部と、
前記フレキシブル部の長手方向の他端側に設けられ、前記ピックアップ装置に接続された第２の端子部と、
を備え、
前記第１の端子部は前記第１の方向を向いて前記回路基板に設けた回路基板端子部に連結されており、前記第２の端子部は前記ピックアップ装置における前記第１の方向に垂直な面に対して前記第１の方向及び前記ディスクの回転軸の双方に垂直の方向に対して±１０°以内の範囲の第２の方向を向いて配置されていることを特徴とする。
【００１８】
更に、前記フレキシブルプリント基板の前記第２の端子部は、前記ピックアップ装置の内部回路に直接連結されることによって接続されていることが好ましい。
【００１９】
更に、前記第２の端子部側の前記フレキシブルプリント基板は、前記ピックアップ装置における前記第１の方向に垂直な面に設けられたスリットから前記第２の方向を向いて引き出されていることが好ましい。
【発明の効果】
【００２０】
本発明のメカデッキ装置によれば、ディスクドライブ装置の組み立て時に発生するＦＰＣの挟み込み及び損傷の危険性を低減し、ＦＰＣの捩れによるコネクタ外れが発生せず、更に、製造コストを低減することができる。
【発明を実施するための最良の形態】
【００２１】
以下、本発明の実施形態に係るメカデッキ装置について、添付の図面を参照して具体的に説明する。図１は本実施形態のメカデッキ装置を示す斜視図、図２は図１のメカデッキ装置を裏返した斜視図、図３は本実施形態のメカデッキ装置を示す内部構造図、図４は本実施形態のメカデッキ装置を示す縦断面図、図５（ａ）乃至（ｊ）は本実施形態のメカデッキ装置におけるピックアップ装置を示す斜視図である。
【００２２】
図１乃至図３に示すように、本実施形態のメカデッキ装置１は、その枠体であるメカデッキシャシ１１、回路基板１２、スピンドルモータ１６、ガイド軸１３、駆動ネジ１３ａ、駆動モータ１７、ピックアップ装置１４及びＦＰＣ１５によって構成されている。なお、本発明の移動装置は、ガイド軸１３、駆動ネジ１３ａ、駆動モータ１７及び後述するラック部材１４３等により構成される。
【００２３】
メカデッキシャシ１１は底部及びこの底部の外縁に沿った側面からなり、このメカデッキシャシ１１の開口部側端には係止爪１１ａ及びネジ固定用ボス１１ｂが設けられ、この係止爪１１ａに、回路基板１２を係止すると共に、回路基板１２に設けられたネジ孔１２ａを介して回路基板１２がネジによってネジ固定用ボス１１ｂに固定されている。メカデッキシャシ１１の内面側には、信号の読み書き対象となるディスク１００を載置するためのターンテーブル１６ａを備えた円柱状のスピンドルモータ１６がメカデッキシャシ１１に直接若しくはブラケットを介して、又は回路基板１２に固定されることによって設けられている。また、メカデッキシャシ１１の底面には、スピンドルモータ１６の外径より大きい径の円弧と信号の読み書き対象となるディスク１００の半径方向に伸びる方形とを結んだ形状の開口部１１ｄが設けられており、スピンドルモータ１６をメカデッキシャシ１１に固定すると、スピンドルモータ１６のターンテーブル１６ａ側の面がメカデッキシャシ１１の開口部１１ｄよりメカデッキ装置１の外部に若干突出し、ターンテーブル１６ａ上に載置されるディスク１００とメカデッキシャシ１１との間にクリアランスを維持することができる。また、メカデッキシャシ１１の内面にはシャフト調整部材１９が設けられ、ディスク１００の半径方向に伸びる１対のガイド軸１３の夫々の両端部はこのシャフト調整部材１９によってメカデッキシャシ１１の底部からの高さを調整可能に支持されている。また、メカデッキシャシ１１の内面側には駆動ネジ１３ａが設けられ、その端部の一方は駆動モータ１７に回転可能に連結され、他方の端部は支持ブラケット１８によって支持されている。更に、メカデッキシャシ１１の内部に設けられたピックアップ装置１４には、ガイド孔１４０ａ及びガイド溝１４０ｂが設けられ、ガイド軸１３が挿通又は嵌合されており、ピックアップ装置１４がガイド軸１３の長手方向（ディスクの半径方向）に移動することが可能である。メカデッキ装置１は、構成部品を搭載された後、メカデッキシャシ１１の外面の開口部側に設けられた複数のネジ孔１１ｃを介して図示しないディスクドライブ装置の筐体内面に固定される。
【００２４】
回路基板１２は柔軟性がない絶縁体基材に回路パターンがプリントされたリジッド基板である。この回路基板１２には、ガイド軸１３の長手方向と平行になるように端子部を挿入する向きにコネクタ１２１が設けられ、後述するＦＰＣ１５の第１の端子部１５１と嵌合する。また、回路基板１２にはディスクドライブ装置の図示しない筐体等に配置された他の回路基板と接続するためのコネクタ１２２が設けられている。この回路基板１２にはメカデッキ装置の各部の動作を制御するための回路がプリントされ、又は電子部品が搭載されている。
【００２５】
ピックアップ装置１４は、図２に示すようにメカデッキシャシ１１の底面に設けられた開口部１１ｄを臨む位置に対物レンズ１４２が設けられ、ピックアップ装置１４内部の対物レンズ１４２の近傍には図示しないレーザ装置及び光検出器が設けられている。また、ピックアップ装置１４の側面には、駆動ネジ１３ａと平行にラック部材１４３が設けられ、このラック部材１４３のラック形状は駆動ネジ１３ａの螺旋溝に噛合している。また、ガイド軸１３の長手方向に対して垂直なピックアップ装置１４の側面には、図１及び図５（ａ）に示すようにＦＰＣ１５の一方の端がディスク１００の回転軸及びガイド軸１３の双方に垂直の方向に対し±１０°以内の範囲の方向を向いて設置され、その端部はピックアップケース１４０に設けられたスリット１４０ｃに挿通されると共に、ピックアップ装置側の端子部はピックアップ装置内の回路に直接半田付け又は接触によって連結されて接続されている。ここで、ピックアップ装置１４の側面に設置されるＦＰＣ１５の一方の端は、ディスク１００の回転軸及びガイド軸１３の双方に対して垂直となるように設置されることが好ましい。また、ピックアップケース１４０に設けるＦＰＣ１５の端部を挿通するスリット１４０ｃの形態としては、図５（ａ）乃至（ｇ）に示すようにＦＰＣ１５が設置されるピックアップケース１４０の側面から、外側に突出したガイド面１４０ｄを設け、ピックアップケース１４０とこのガイド面１４０ｄとの間にスリット１４０ｃを設けてもよく、図５（ｈ）に示すように、ＦＰＣ１５のフレキシブル部の厚さより大きな幅のスリット１４０ｃを設けてもよい。また、図５（ｉ）及び（ｊ）に示すように、ガイド面１４０ｄをピックアップケース１４０の側面から内側に凹下して設け、ピックアップケース１４０とこのガイド面１４０ｄとの間にスリット１４０ｃを設けてもよい。
【００２６】
ＦＰＣ１５はポリイミドフィルム又はポリエステルフィルム等からなるベース層及びカバー層の間に、導体となる銅箔が挟み込まれて屈曲可能なフレキシブル部１５２、フレキシブル部１５２の長手方向の端部に設けられた第１の端子部１５１並びに第２の端子部１５３からなり、第２の端子部１５３側のフレキシブル部１５２は、前述の如くピックアップケース１４０に設けられたスリット１４０ｃに挿通されると共に、第２の端子部１５３はピックアップ装置１４内の回路に直接連結されて接続されている。フレキシブル部１５２は途中で折り返されると共に、フレキシブル部１５２が捻られた状態で、前述の回路基板１２上に設けられたコネクタ１２１に第１の端子部１５１が挿入されて嵌合する。なお、このＦＰＣ１５の回路基板側に設けられた第１の端子部１５１は回路基板１２のコネクタ１２１と嵌合するコネクタであってもよい。また、ピックアップ装置１４のガイド軸１３の長手方向に対して垂直な側面にコネクタを設けると共に、ＦＰＣ１５のピックアップ装置側の第２の端子部１５３を、このコネクタの端子部にディスク１００の回転軸及びガイド軸１３の双方に垂直の方向に対し±１０°以内の範囲の方向を向いて連結して接続してもよい。この場合、ＦＰＣ１５の端子部はディスク１００の回転軸及びガイド軸１３の双方に対して垂直となるようにコネクタに連結されて接続されることが好ましい。
【００２７】
図６は本実施形態のメカデッキ装置に対してＦＰＣのピックアップ装置側の接続位置を変えた比較例を示す斜視図、図７は図６の縦断面図である。
【００２８】
図３に示すように、本実施形態のメカデッキ装置は、ＦＰＣ１５のピックアップ装置側の端がガイド軸１３の長手方向に対して垂直なピックアップ装置１４の側面にディスク１００の回転軸及びガイド軸１３の双方に垂直の方向に対し±１０°以内の範囲の方向を向いて設置されている。図６及び図７に示す比較例は、ＦＰＣ１５の第２の端子部１５３をピックアップ装置の回路基板１２の基板面に対して向かい合う面に配置したものである。図４に示すように、本実施形態のメカデッキ装置によれば、ＦＰＣ１５が折り返されると共に捻られて取り付けられるため、ＦＰＣ１５の第２の端子部１５３をピックアップ装置の回路基板に対して向かい合う面に設置した図７に示す比較例に比して、ＦＰＣ１５がメカデッキ装置から飛び出す量を小さく抑えることが可能である。また、ＦＰＣのメカデッキ装置からの飛び出し量を小さく抑えられるため、ディスクドライブ装置の組み立ての際、ディスクドライブ装置とメカデッキシャシとの間にＦＰＣを挟みこむ危険性及び損傷する危険性を低減することができ、また、他部品を配置できない禁止領域を小さく抑えることが可能である。
【００２９】
また、ＦＰＣの第２の端子部がコネクタを介さずにピックアップ装置内の回路に直接連結されて接続されるため、ピックアップ装置とＦＰＣとを接続するコネクタが不要であり、部品コストを低減することができる。更に、ＦＰＣが折り返される位置がピックアップ装置の全可動範囲にわたってピックアップ装置に近くなるため、ＦＰＣの捻り反力によるコネクタ外れを防止することができる。
【００３０】
図２に示すように、ディスク１００はメカデッキ装置１のスピンドルモータ上１６に設けられたターンテーブル１６ａ上に載置され、スピンドルモータ１６によって回転駆動される。駆動ネジ１３ａは駆動モータ１７によって回転可能に支持されており、前述の如く、駆動ネジ１３ａの外面に設けられた螺旋状の溝は、ピックアップ装置１４のラック部材１４３のラック形状に噛合しているため、駆動モータの回転によってピックアップ装置１４は駆動ネジ１３ａの長手方向に移動する。そして、ピックアップ装置１４の内部に設けられた半導体レーザから射出されたレーザ光を対物レンズ１４２によって集光し、集光したレーザ光を開口部１１ｄからディスク１００の信号記録面に照射し、反射光をピックアップ装置内部に設けられた図示しない光検出器で検出することによって、ディスク１００に対する信号の読み書きを行う。
【００３１】
このディスク１００に対する信号の読み書きを行う間、ピックアップ装置１４がディスク１００の径方向に移動するのに伴ってコネクタ１４１と第１の端子部１５１が移動するため、ＦＰＣ１５のフレキシブル部１５２の折り返された屈曲位置はディスク１００の半径方向に変移する。
【００３２】
本実施形態のメカデッキ装置によれば、ＦＰＣが折り返される位置にて捻られて取り付けられ、回路基板上のコネクタをＦＰＣの捻り量に合わせて、ＦＰＣの剛性による捻り及び曲げ反力が低減されうる有利な位置に配置することが可能であり、更に、ＦＰＣのメカデッキ装置からの飛び出し量を小さく抑えることが可能であるため、駆動ネジを介してピックアップ装置を駆動する駆動モータに負荷されるＦＰＣの撓みによる反力を低減することが可能であると共に、駆動モータを小型化することが可能であるため、メカデッキ装置のコンパクト化に有利である。
【００３３】
本実施形態のメカデッキ装置は、上述の如くＣＤ又はＤＶＤ等の光ディスクに対して信号の読み書きを行うディスクドライブ装置に限らず、例えば青紫色レーザを用いるＢｌｕ−ｒａｙディスク若しくはＨＤ（High-Definition）−ＤＶＤ等の光ディスク、又はＭＤ（Mini Disc）等の光磁気ディスクに対して信号の読み書きを行うディスクドライブ装置にも適用可能である。
【図面の簡単な説明】
【００３４】
【図１】本実施形態のメカデッキ装置を示す斜視図である。
【図２】図１のメカデッキ装置を裏返した斜視図である。
【図３】本実施形態のメカデッキ装置を示す内部構造図である。
【図４】本実施形態のメカデッキ装置を示す縦断面図である。
【図５】（ａ）乃至（ｊ）は本実施形態のメカデッキ装置におけるピックアップ装置を示す斜視図である。
【図６】本実施形態のメカデッキ装置に対してＦＰＣのピックアップ装置側の接続位置を変えた比較例を示す斜視図である。
【図７】図６の縦断面図である。
【符号の説明】
【００３５】
１：メカデッキ装置、１１：メカデッキシャシ、１１ａ：係止爪、１１ｂ：ネジ固定用ボス、１１ｃ：ネジ孔、１１ｄ：開口部、１２：回路基板、１２ａ：ネジ孔、１２１：コネクタ、１２２：コネクタ、１３：ガイド軸、１３ａ：駆動ネジ、１４：ピックアップ装置、１４０：ピックアップケース、１４０ａ：ガイド孔、１４０ｂ：ガイド溝、１４０ｃ：スリット、１４０ｄ：ガイド面、１４１：コネクタ、１４２：対物レンズ、１４３：ラック部材、１５：ＦＰＣ、１５１：第１の端子部、１５２：フレキシブル部、１５３：第２の端子部、１６：スピンドルモータ、１６ａ：ターンテーブル、１７：駆動モータ、１８：支持ブラケット、１９：シャフト調整部材
【図１】
0005050984.tif 000002
【図２】
0005050984.tif 000003
【図３】
0005050984.tif 000004
【図４】
0005050984.tif 000005
【図５】
0005050984.tif 000006
【図６】
0005050984.tif 000007
【図７】
0005050984.tif 000008